(57)【特許請求の範囲】
【請求項１】
セグメントの組み立てにより一次覆工を構築したシールドトンネル内に、水平隔壁と、該水平隔壁下の空間を左右に仕切る垂直隔壁とを築造するシールドトンネル内の隔壁築造方法において、
前記一次覆工の内面の左右の位置に前記水平隔壁の両縁を支持させる受け台を突設し、水平隔壁部と垂直隔壁部とを予め一体に成形したプレキャスト隔壁ブロックを前記一次覆工後のシールドトンネル内に搬入し、該プレキャスト隔壁ブロックの水平隔壁部の両端を、前記受け台上に支持させて固定するとともに、前記垂直隔壁部の下端を前記シールドトンネルの内底部に打設したインバートコンクリートに固定し、同様にして前記プレキャスト隔壁ブロックを順次並べてトンネル内に設置することにより連続した水平隔壁と垂直隔壁を築造することを特徴としてなるシールドトンネル内の隔壁築造方法。
【請求項２】
受け台は組み立て前のセグメントに予め突設しておき、該セグメントを所定の位置に組み込むことにより一次覆工の内面に受け台を突設させる請求項１に記載のシールドトンネル内の隔壁築造方法。
【請求項３】
インバートコンクリートの上面に予め溝を形成しておき、該溝内にプレキャスト隔壁ブロックの垂直隔壁部の下端を挿入し、該溝内の隙間を無収縮性のモルタルにて埋めることにより垂直隔壁部の下端をインバートコンクリートに固定する請求項１もしくは２に記載のシールドトンネル内の隔壁築造方法。
【発明の詳細な説明】
【０００１】
【発明の属する技術分野】
本発明は、セグメントの組み立てにより一次覆工を形成するシールドトンネル内に、水平及び垂直の隔壁を築造するシールドトンネル内の隔壁築造方法に関する。
【０００２】
【従来の技術】
従来、シールドトンネルにおいて、トンネル内部を水平及び垂直の隔壁をもって仕切り、仕切られた各空間をそれぞれ各種の用途に使用することが一般に行われている。
【０００３】
この隔壁の築造に際し従来は、セグメントによる一次覆工の内面に場所打ちコンクリートによる二次覆工を打設していたため、隔壁の築造もこれと同様に場所打ちコンクリートによる築造が一般的であった。
【０００４】
しかし近年においては、シールドトンネルの一次覆工自体の止水性、内面平滑性、防錆機能の向上により、二次覆工の省略が可能になってきている。また隔壁の築造についても、垂直隔壁に関してはプレキャスト版の使用が検討されている。
【０００５】
また、従来の隔壁築造方法では、隔壁を覆工に固定するために、二次覆工が構築される場合には、その構築時にアンカー筋を埋め込んでおき、これと一体に場所打ちの隔壁を築造している。二次覆工がない場合は、組み立てられたセグメントに、予めアンカーホールを設けておくか、後付けアンカーを、打ち込みなどによって設置し、これに支持させて場所打ちの隔壁を築造している。
【０００６】
【発明が解決しようとする課題】
このような従来の隔壁築造方法にあっては、ほとんどが場所打ちにより築造されるものであるため、型枠の組み立てや、そのための支保工の設置、多量のコンクリートの打設等の多数の作業を狭いトンネル内にて行わなければならず、工期も長く要する等の問題があった
本発明は、このような従来の問題に鑑み、二次覆工を行わないトンネル内に、少ない工数で、短期間にて隔壁築造ができるシールドトンネル内の隔壁築造方法の提供を目的としてなされたものである。
【０００７】
【課題を解決するための手段】
上述の如き従来の問題を解決し、所期の目的を達成するための本発明の特徴は、セグメントの組み立てにより一次覆工を構築したシールドトンネル内に水平隔壁と、該水平隔壁下の空間を左右に仕切る垂直隔壁とを築造するシールドトンネル内の隔壁築造方法において、前記一次覆工の内面の左右の位置に前記水平隔壁の両縁を支持させる受け台を突設し、水平隔壁部と垂直隔壁部とを予め一体に成形したプレキャスト隔壁ブロックを前記一次覆工後のシールドトンネル内に搬入し、該プレキャスト隔壁ブロックの水平隔壁部の両端を、前記受け台上に支持させて固定するとともに、前記垂直隔壁部の下端を前記シールドトンネルの内底部に打設したインバートコンクリートに固定し、同様にして前記プレキャスト隔壁ブロックを順次並べてトンネル内に設置することにより連続した水平隔壁と垂直隔壁を築造することにある。
【０００８】
尚、受け台は組み立て前のセグメントに予め突設しておき、該セグメントを所定の位置に組み込むことにより一次覆工の内面に受け台を突設させてもよく、予めセグメントに受け台取り付け用の埋め込み栓を備えておき、一次覆工完了後に該埋め込み栓にボルトを螺嵌させて、受け台を固定してもよい。
【０００９】
また、インバートコンクリートの上面に予め溝を形成しておき、該溝内にプレキャスト隔壁ブロックの垂直隔壁部の下端を挿入し、該溝内の隙間を無収縮性のモルタルにて埋めることにより垂直隔壁部の下端をインバートコンクリートに固定することが好ましい。
【００１０】
【作用】
本発明においては、予め水平隔壁と垂直隔壁とを一体に成形したプレキャスト隔壁ブロックを搬入し、これを受け台及びインバートコンクリートに支持させて並べることにより、連続した水平隔壁と垂直隔壁とが順次構築される。その際のトンネル内作業はブロックの搬入、据付、ボルト止め及び部分的なモルタル打ちが必要であるが、全体として作業工数が少なく、部材の高所への吊り上げや、作業者の高所における不安定な場所での危険作業が少なく、安全性が高い。
【００１１】
【実施の形態】
次に本発明の実施の形態を図面に示した実施例について説明する。
【００１２】
図において、１はセグメントを組み立てて形成した一次覆工である。この一次覆工１を施したトンネルの略上半部はトンネル掘進作業に必要な輸送空間として使用しており、一次覆工の両側部の中央稍上側の対称な位置に取り付けたブラケット２，２に枕木３を一定間隔毎に支持させ、その上にレール４，４を敷設して作業台車５が走行できるようにするとともに、図には示してないが、各種の配線、配管を枕木上の空間に設置する。
【００１３】
また、トンネル内の一次覆工１の構築時に、予め、受け台１０を一体に突設した受け台付きセグメント１１をトンネル両側部に使用し、一次覆工１の構築と同時に受け台１０，１０をトンネル内面の左右の位置に突設させている。
【００１４】
受け台付きセグメント１１は、図２に示すように、セグメントの成形時に弧状をしたセグメント本体１１ａの内側面に、幅方向に連続させて受け台１０を突設させたものを使用する。受け台１０の上面には隔壁固定用のアンカーナットからなる埋め込み栓１２を設置しておく。
【００１５】
この他、図４に示すようにセグメント本体１１ａの内面の所定位置に、アンカーナットからなる埋め込み栓１３を設置しておき、これに別途成形した受け台ピース１０ａをボルト１４を介して固定してもよい。尚、この受け台ピース１０ａを使用する場合は、セグメントによる一次覆工１の構築後に受け台ピース１０ａを取り付けることにより、受け台１０を突設させてもよい。
【００１６】
このようにしてシールドトンネルを掘進しながら同時に、一次覆工の完了したトンネル内において、枕木３下に異物落下防止シート（図示せず）を敷設し、トンネル内底部にインバートコンクリート１５を打設する。このインバートコンクリート１５の上面には、垂直隔壁挿入用の溝１６を同時に形成する。更に、このインバートコンクリートの上面に作業台車走行用のレール１７，１７を敷設する。
【００１７】
このようにして所定区間、例えば一の立坑から次の立坑までの区間のレール１７，１７の敷設完了後、該レール上をブロック搬送用台車１８を走行させて、プレキャスト隔壁ブロック２０を搬入する。
【００１８】
プレキャスト隔壁ブロック２０は、平板状をした水平隔壁部２１と同じく平板状下垂直隔壁２２とを、Ｔ字型配置に一体成形させたプレキャストコンクリートブロックであり、予め工場その他のブロック製作ヤードにて成形したものを使用する。水平隔壁部２１の両端には予め固定用のボルト挿入穴２３（図３、図４に示す）を必要数だけ設けておく。
【００１９】
ブロック搬送用台車１８は、前方に突出させたリフト機能付きのブロック支持部１８ａを有し、その上に隔壁ブロック２０を設置方向に向けて載置し、受け台１０より稍高い位置まで持ち上げた状態で搬送する。そして設置位置においてブロック支持部１８ａを降下させ、水平隔壁部２１の両端を受け台１０、１０上に載荷させ、垂直隔壁部２２の下端をインバートコンクリート上面の溝１６内に挿入させる。然る後、水平隔壁部２１の両端を受け台１０、１０に対してボルト２４をもって固定するとともに、水平隔壁部２１の両端面とセグメント本体１１ａの内側面との間の隙間及び溝１６内の隙間にそれぞれモルタル２５、２６を充填する。
【００２０】
尚、隔壁ブロック２０は、図５に示すように、一次覆工のセグメントリングＣの幅の２倍の幅に成形し、１つ置きのセグメントリングＣに受け台１０を突設し、互いに隣り合う各水平隔壁部２１の両端の縁部を１つの受け台１０上で接合させて支持させる。また溝１６内の隙間のモルタル２６は、無収縮性のものが好ましい。また、トンネルの曲率の大きさによっては、セグメントリングＣと隔壁ブロックの幅を同じくしてもよい。
【００２１】
このようにしてトンネル奥部より順次隔壁ブロック２０を並べて設置し、トンネル内を上下に仕切るスラブからなる水平隔壁及び下側を左右に仕切り、上記スラブの中央部分を支える垂直隔壁を構築する。
【００２２】
【発明の効果】
上述したように、本発明の方法においては、シールドトンネル内に水平隔壁部と垂直隔壁部とを一体に成形したプレキャスト隔壁ブロックを搬入し、その水平隔壁部の両端をトンネル覆工内面に突設した受け台に支持させるとともに、垂直隔壁部の下端をトンネル内底部のインバートコンクリートに支持させて、水平、垂直の隔壁を築造するようにしたことにより、従来の場所打コンクリートによる築造に比べ、搬入する資材及び作業工数が著しく少なく、工期が短縮され、また不安定な高所作業や資材の吊り上げ等の危険作業が少なく、安全性が高い。
【００２３】
また、予め受け台を設置した受け台付きセグメントを使用することにより、従来のようなトンネル内におけるアンカー筋や埋め込み栓の打ち込み等の作業が不要になり、トンネル内での作業性が著しく向上し、工期の短縮、工費の節減がなされる。
【図面の簡単な説明】
【図１】本発明方法により築造されたトンネル内隔壁の断面図である。
【図２】本発明方法に使用する受け台付きセグメントの一例の斜視図である。
【図３】本発明方法における受け台に対する水平隔壁部の固定状態を示す断面図である。
【図４】本発明に用いる他の受け台に対する水平隔壁部の固定状態を示す断面図である。
【図５】本発明における一次覆工に対する受け台の配置を示す縦断側面図である。
【符号の説明】
１  一次覆工
２  ブラケット
３  枕木
４  レール
５  作業台車
１０  受け台
１０ａ  受け台ピース
１１  受け台付きセグメント
１１ａ  セグメント本体
１２，１３  埋め込み栓
１４  ボルト
１５  インバートコンクリート
１６  溝
１７  レール
１８  ブロック搬送台車
２０  プレキャスト隔壁ブロック
２１  水平隔壁部
２２  垂直隔壁部
２３  ブロック支持部
２４  ボルト
２５、２６  モルタル
【図１】
0003823278.tif 000002
【図２】
0003823278.tif 000003
【図３】
0003823278.tif 000004
【図４】
0003823278.tif 000005
【図５】
0003823278.tif 000006